(57)【要約】【課題】鳴り物が嵩張らないようにコンパクトに纏めて携行に便利なようにした携帯用鳴り物を提供する【解決手段】携帯用鳴り物１００は、携帯可能な棒状のホルダー１０と、内面または外面を打つことにより音を発する鳴り物本体５０とを備える。ホルダー１０は、棒状の長手方向の一方に形成された、鳴り物本体５０を収納可能な凹状の鳴り物収納部２０と、長手方向の他方に形成され、使用者が把持するための把持部３０とを備える。これにより、鳴り物の非使用時には鳴り物本体５０を鳴り物収納部２０に収納することで、嵩張らずに携行に適した扱い易い携帯用鳴り物を実現できる。【選択図】図１
2020011001.tif 000002
【特許請求の範囲】
【請求項１】
携帯可能な棒状のホルダーと、
内面または外面を打つことにより音を発する鳴り物本体と、
を備え、
前記ホルダーは、
棒状の長手方向の一方に形成された、前記鳴り物本体を収納可能な凹状の鳴り物収納部と、
前記長手方向の他方に形成され、使用者が把持するための把持部とを備える携帯用鳴り物。
【請求項２】
請求項１に記載の携帯用鳴り物であって、
前記鳴り物収納部が、前記鳴り物本体を収納する際に該鳴り物本体を嵌合して保持するよう構成してなる携帯用鳴り物。
【請求項３】
請求項１又は２に記載の携帯用鳴り物であって、さらに、
前記鳴り物本体と前記ホルダーとを連結させる連結部を備え、
前記連結部は、
前記鳴り物収納部の内面に配置された留め具と、
前記鳴り物本体に取り付けられた連結用紐と
を有し、
前記留め具と連結用紐とを連結することで、前記鳴り物本体と前記ホルダーとを連結するよう構成してなる携帯用鳴り物。
【請求項４】
請求項１〜３のいずれか一項に記載の携帯用鳴り物であって、
前記鳴り物が、内部に舌片を有する葬祭用の鈴である携帯用鳴り物。
【請求項５】
請求項１〜３のいずれか一項に記載の携帯用鳴り物であって、
前記鳴り物が、葬祭用のりんであって、
前記把持部は、前記りんを叩くためのりん棒を収納するりん棒収納部を形成してなる携帯用鳴り物。
【請求項６】
請求項５に記載の携帯用鳴り物であって、さらに、
前記りん棒と前記把持部とを連結するりん棒連結用紐を備えてなる携帯用鳴り物。
【請求項７】
請求項２に記載の携帯用鳴り物であって、
前記ホルダーは、前記鳴り物収納部を設けた端部に、前記鳴り物本体を連結するためのホルダー側連結部を有し、
前記鳴り物本体は、その頂部に、前記ホルダー側連結部と連結するための鳴り物側連結部を有し、
前記ホルダー側連結部と鳴り物側連結部を連結することで、前記鳴り物と前記ホルダーとを連結するよう構成してなる携帯用鳴り物。
【請求項８】
請求項１〜７のいずれか一項に記載の携帯用鳴り物であって、
前記ホルダーが、線香入れに収納可能な大きさに形成されてなる携帯用鳴り物。
【請求項９】
請求項１〜８のいずれか一項に記載の携帯用鳴り物であって、
前記ホルダーが、長さ１２〜１６ｃｍに形成されてなる携帯用鳴り物。
【請求項１０】
請求項１〜９のいずれか一項に記載の携帯用鳴り物であって、
前記ホルダーが、棒状の直径の最も太い部分が、１〜５ｃｍに形成されてなる携帯用鳴り物。
【発明の詳細な説明】
【技術分野】
【０００１】
本発明は、携帯可能な鳴り物に関する。
【背景技術】
【０００２】
近年、あらゆる日用品がコンパクト化され、携帯に便利な態様が好まれる傾向にある。例えば葬祭用の金属製の鳴り物を、墓参りや寺院の参拝などに携行することを考える。特に、墓前や寺院など、出先で鈴やりん等の鳴り物を使いたい場合は、携行し易いようにコンパクトに纏めることが求められる。
【０００３】
しかしながら、通常の鳴り物は屋内の仏壇などに置かれて使用することを想定しているため、嵩張ることが多く、携行には適しない。また、鳴り物がりんの場合は、りんを鳴らすためのりん棒と共に使用するため、りんとりん棒を併せて携行する必要がある。特に高齢者などの場合は、りん棒も一緒に持ち歩くことを忘れたり、あるいはりん棒をなくしたりすることもあり、管理の面でも不便であった。
【０００４】
ここで、りんとりん棒をまとめて管理できるりん棒内蔵型おりんが提案されている（特許文献１）。
【先行技術文献】
【特許文献】
【０００５】
【特許文献１】登録実用新案第３１７７８２９号公報
【発明の概要】
【発明が解決しようとする課題】
【０００６】
このりん棒内蔵型おりん７００は、図７に示すようにりんの内輪に振り子方式で振り子アーム７０３、球７０５を一体化し内蔵に組み込み振り子アーム７０３を、左、右に可動させて音を出すよう構成される。しかしながら、この構成では比較的外形が大きいため、携行に適しているとは言い難い。特に高齢者が携行するには不適と思われる。
【０００７】
本発明は、このような背景に鑑みてなされたものである。本発明の目的の一は、鳴り物が嵩張らないようにコンパクトに纏めて携行に便利なようにした携帯用鳴り物を提供することにある。
【課題を解決するための手段及び発明の効果】
【０００８】
本発明の第１の側面に係る携帯用鳴り物によれば、携帯可能な棒状のホルダーと、内面または外面を打つことにより音を発する鳴り物本体と、を備え、前記ホルダーは、棒状の長手方向の一方に形成された、前記鳴り物本体を収納可能な凹状の鳴り物収納部と、前記長手方向の他方に形成され、使用者が把持するための把持部とを備える。上記構成により、鳴り物を非使用時には鳴り物収納部に収納することで、嵩張らずに携行に適した扱い易い携帯用鳴り物を実現できる。
【０００９】
また、第２の側面に係る携帯用鳴り物によれば、前記鳴り物収納部が、前記鳴り物本体を収納する際に該鳴り物本体を嵌合して保持することができる。上記構成により、鳴り物収納部に鳴り物本体を収納する際に嵌合させる構成として、鳴り物本体を確実に保持できる。
【００１０】
さらに、第３の側面に係る携帯用鳴り物によれば、さらに、前記鳴り物本体と前記ホルダーとを連結させる連結部を備え、前記連結部は、前記鳴り物収納部の内面に配置された留め具と、前記鳴り物本体に取り付けられた連結用紐とを有し、前記留め具と連結用紐とを連結することで、前記鳴り物本体と前記ホルダーとを連結することができる。上記構成により、鳴り物本体は常時連結部によってホルダーと連結されていることから、鳴り物本体を落としたり無くしたりする虞を低減でき、高齢者等でも管理が容易で扱い易い携帯用鳴り物を実現できる。
【００１１】
さらにまた、第４の側面に係る携帯用鳴り物によれば、前記鳴り物が、内部に舌片を有する葬祭用の鈴である。上記構成により、葬祭用の鈴を携行し易くできる。
【００１２】
さらにまた、第５の側面に係る携帯用鳴り物によれば、前記鳴り物が、葬祭用のりんであって、前記把持部は、前記りんを叩くためのりん棒を収納するりん棒収納部を形成することができる。上記構成により、葬祭用のりんを、りん棒と共に携行し易くできる。
【００１３】
さらにまた、第６の側面に係る携帯用鳴り物によれば、さらに、前記りん棒と前記把持部とを連結するりん棒連結用紐を備えることができる。上記構成により、りん棒を常時把持部と連結することで、りん棒を落としたり無くしなりするおそれを低減し、高齢者等でも管理が容易で扱い易い携帯用鳴り物を実現できる。
【００１４】
さらにまた、第７の側面に係る携帯用鳴り物によれば、前記ホルダーは、前記鳴り物収納部を設けた端部に、前記鳴り物本体を連結するためのホルダー側連結部を有し、前記鳴り物本体は、その頂部に、前記ホルダー側連結部と連結するための鳴り物側連結部を有し、前記ホルダー側連結部と鳴り物側連結部を連結することで、前記鳴り物と前記ホルダーとを連結することができる。上記構成により、鳴り物を紐で吊り下げる態様でなく、ホルダーの上端に鳴り物を固定した態様で使用することができ、様々な宗派や嗜好、用途等に応じた様々な形態の鳴り物を提供できる。
【００１５】
さらにまた、第８の側面に係る携帯用鳴り物によれば、前記ホルダーが、線香入れに収納可能な大きさに形成することができる。上記構成により、墓参りや寺院の参拝に携行する線香入れに、携帯用鳴り物も一緒に収納できるようにして、携行に一層便利な態様を実現できる。
【００１６】
さらにまた、第９の側面に係る携帯用鳴り物によれば、前記ホルダーを、長さ１２〜１６ｃｍに形成することができる。
【００１７】
さらにまた、第１０の側面に係る携帯用鳴り物によれば、前記ホルダーを、棒状の直径の最も太い部分を、１〜５ｃｍに形成することができる。
【図面の簡単な説明】
【００１８】
【図１】本発明の実施形態１に係る携帯用鳴り物の斜視図である。
【図２】図２Ａ及び図２Ｂは図１の携帯用鳴り物の鳴り物収納部を示す断面図である。
【図３】図１の携帯用鳴り物の側面図である。
【図４】図１の携帯用鳴り物に鳴り物本体を収納した状態を示す正面図である。
【図５】図５Ａは図１の携帯用鳴り物にりん棒を収納した状態、図５Ｂはりん棒を外した状態を示す斜視図である。
【図６】実施形態２に係る携帯用鳴り物を示す分解斜視図である。
【図７】従来のりんを示す断面図である。
【発明を実施するための形態】
【００１９】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２０】
本発明の実施形態１に係る携帯用鳴り物を図１〜図５に示す。これらの図において、図１は本発明の実施形態１に係る携帯用鳴り物の斜視図、図２は図２Ａ及び図２Ｂは図１の携帯用鳴り物の鳴り物収納部を示す断面図、図３は図１の携帯用鳴り物の側面図、図４は図１の携帯用鳴り物に鳴り物本体を収納した状態を示す正面図、図５は図５Ａは図１の携帯用鳴り物にりん棒を収納した状態、図５Ｂはりん棒を外した状態を示す斜視図を、それぞれ示している。
【００２１】
図１に示すように、実施形態１に係る携帯用鳴り物１００は、携帯可能な棒状のホルダー１０と、内面または外面を打つことにより音を発する鳴り物本体５０とを備えている。ホルダー１０は、棒状の長手方向の一方に、鳴り物本体５０を収納可能な凹状の鳴り物収納部２０を形成している。また鳴り物収納部２０と反対側の他方には、使用者が把持するための把持部３０を有する。
【００２２】
ホルダー１０は、例えば、線香入れに収納可能な大きさに形成される。より具体的には、ホルダー１０は、長さ１２〜１６ｃｍに形成されていることが好ましい。また、棒状の直径の最も太い部分が、１〜５ｃｍに形成されていることが好ましい。これにより、墓参りや寺院の参拝に携行する線香入れに、携帯用鳴り物も一緒にコンパクトに収納できる。このため、携行に一層便利な態様を実現できる。
【００２３】
鳴り物収納部２０は、ホルダー１０の大きさの概ね半分〜１／３程度の凹状である。使用者は手で鳴り物本体５０を鳴り物収納部２０に押し込むことにより、鳴り物本体５０を鳴り物収納部２０に収納する。ホルダー１０の他方であって、鳴り物収納部２０が形成されない部分は把持部３０である。使用者はこの把持部３０を握ってホルダー１０を支持する。ホルダー１０は、木やプラスティックなど様々な材料により作成できる。例えば、木製の場合、木の温かみが感じられ風情があり、仏具としての使用に適する。また、プラスティック製の場合、加工が容易で軽量である。さらに、プラスティックは弾性があるため、鳴り物本体５０を鳴り物収納部２０に出し入れするのが一層容易である。
【００２４】
鳴り物本体５０は、棒状のもので外面を叩くことで振動により音を発したり、内部に舌片のようなものをぶら下げて、内面を打つことにより音を発するものをいう。
【００２５】
鳴り物収納部２０は、ホルダー１０の正面側に開口部２１を有している。鳴り物本体５０は開口部２１を介して鳴り物収納部２０に押し込まれることにより、鳴り物本体５０の外面と鳴り物収納部２０の内面の一部が接触する。これにより、鳴り物本体５０が鳴り物収納部２０と嵌合して保持される。また、所定の力で鳴り物本体５０をつまみ出すことにより、鳴り物収納部２０に保持されている鳴り物本体５０を容易に取り出すことができる。
【００２６】
携帯用鳴り物１００は、さらに、鳴り物本体５０とホルダー１０とを連結させる連結部４０を備えている。連結部４０は、鳴り物収納部２０の内面に配置されている留め具４１と鳴り物本体５０の上部に取り付けられている連結用紐４２を有する。留め具４１及び連結用紐４２を介して、鳴り物本体５０をホルダー１０と連結する。留め具４１は鳴り物収納部２０の内面のいずれに配置してもよいが、例えば図１に示すように、鳴り物収納部２０の開口部２１と対向する内面に配置できる。留め具４１は様々な留め具を使用できる。例えば、図２Ａに示すように、留め具４１にＪ字型フックを使用することができる。鳴り物本体５０の上部に取り付けられた連結用紐４２の端部をＪ字型フックである留め具４１に引っかける。Ｊ字型フックは片方が鳴り物収納部２０の内面と接触していないため、Ｊ字型フックと鳴り物収納部２０の内面との間に隙間Ｃができる。この隙間Ｃを介して、連結用紐４２の端部を着脱容易に留め具４１に引っかけることができる。これにより、鳴り物本体５０をホルダー１０に、容易に着脱可能に連結することができる。また、図２Ｂに示すように、留め具４１にＵ字型フックを使用すれば、上述のような隙間は形成されない。連結用紐４２の端部をＵ字金具に引っかけた後、Ｕ字金具の両端を鳴り物収納部２０の内面に取り付ける。これにより、連結用紐４２が留め具４１から取り外しにくくなる。このため、鳴り物本体５０をホルダー１０に確実に取り付けることができる。
【００２７】
連結用紐４２は木綿や化学繊維等を編んで作成したものや、金属製のチェーンなど様々な材料で作成し得る。
【００２８】
このように、鳴り物本体５０が連結部４０によってホルダー１０と連結されていることから、コンパクトに分解して収納及び携帯を容易にする。一方、鳴り物本体５０を落としたり無くしたりする虞を低減でき、高齢者等でも管理が容易で扱い易い携帯用鳴り物を実現できる。
【００２９】
鳴り物本体５０には、りんや鈴等が利用できる。図１〜図５においては、鳴り物本体５０にりんを用いた例を示している。りんは通常、お椀型の金属製のものであり、りん棒でりん本体の外面を叩くことにより音を発する。りんは通常開口部を上向きにして、りん台に固定して使用する。しかし、本実施形態１において、りん本体は、りん本体の開口されていない端部に連結用紐４２を取り付け、留め具４１を介してホルダー１０に連結されている。よって図３に示すように、開口部を下向きにし、ホルダー１０にぶら下げるようにして使用する。さらに、図４、図５Ａ及び図５Ｂに示すように、把持部３０は、りんを叩くためのりん棒６０を収納するりん棒収納部３１を形成してもよい。これにより、りん本体を、りん棒６０と共にコンパクトに携行し易くできる。また、りん本体とりん棒６０をホルダー１０の異なる部分に収納するため、携帯の際、りん本体とりん棒６０が接触することにより、りんの音が鳴ることを回避し、りん本体に傷がつくことを回避できる。
【００３０】
さらにまた、図３に示すように、りん棒６０の一端と把持部３０の端部にりん棒連結用紐６１を取り付けてもよい。これにより、りん棒６０を常時把持部３０と連結することで、りん棒６０を落としたり無くしなりするおそれを低減し、高齢者等でも管理が容易で扱い易い携帯用鳴り物を実現できる。また、従来のりんを小型化しただけのものは、りん本体とりん棒を袋などに入れて携帯することになる。この場合、りん本体とりん棒を連結用紐で連結していると、紐が袋内部でりん本体やりん棒にからまり、使用する際にこのからまった紐をほどかねばならず、手間がかかる。本発明のホルダー１０は、りん本体とりん棒６０をホルダー１０の異なる部分に収納し、りん棒連結用紐６１との接触がないため、りん棒連結用紐６１がりん本体やりん棒６０にからまることはなく、使い勝手が良い。
【００３１】
また鳴り物本体５０はりんに限らず、鈴を用いてもよい。鈴は通常、金属製の本体と本体の内部に舌片を有している。そして、内部の舌片が鈴本体の内面を打ち、鈴本体が振動することにより音を発する。このためりん棒のような叩くための棒を必要としない。鳴り物本体５０として鈴を用いる場合、鈴本体が鳴り物収納部２０に嵌合するため、鳴り物収納部２０の内面と鈴本体の外面が接触する。すると、鈴内部の舌片が鈴本体を打っても、鈴本体の振動が鳴り物収納部２０の内面により抑えられ、鈴の音量を抑制できる。従って、携帯する際、鈴の音が大きく鳴ることにより周囲の人に迷惑をかけることを回避できる。
【００３２】
また、上述の鈴やりんは仏具として使用される場合も多い。仏具は特別な場面で使用するものであり、屋内においても通常、専用の設置場所が設けられている。したがって、このような鈴やりんが携帯可能であったとしても、日常の生活場面にいきなり持ち込まれると違和感を覚える人もいる可能性がある。しかし、本願の携帯用鳴り物は一見すると棒状であり、りんも各部に分解して収納してあるため、一目で仏具とは認識されない。これにより、様々な生活場面おいて、りんや鈴を気軽に携帯できる。また、本願の携帯用鳴り物は棒状であるため、線香入れに線香と共にコンパクトに収納できる。このため、巡礼や墓参りの際、必要な物がまとめて持ち運べるためより一層使いやすい。
［実施形態２］
【００３３】
一方で、図１に示した実施形態１に係る携帯用鳴り物おいては、鳴り物本体５０をホルダー１０にぶら下げるようにして使用する例を提示した。しかしながら、本発明はこのような使用態様に限定するものでなく、例えば鳴り物本体をホルダーに直接連結あるいは固定する態様とすることもできる。このような例を、実施形態２に係る携帯用鳴り物として示す。本発明の実施形態２に係る携帯用鳴り物２００のホルダー１０は、鳴り物収納部２０を設けた端部に、鳴り物本体５０を連結するためのホルダー側連結部４４を有する。また鳴り物本体５０は、その頂部に、ホルダー側連結部４４と連結するための鳴り物側連結部４３を有する。このホルダー側連結部４４と鳴り物側連結部４３を連結することで、鳴り物本体５０とホルダー１０とを連結する。例えば、図６に示すように、鳴り物本体５０を鳴り物収納部２０を設けた端部に、鳴り物本体５０の開口部を上向きにして固定する。
【００３４】
ここで、例えば、ホルダー側連結部４４にはネジ穴を使用し、鳴り物側連結部４３には雄ねじを使用することができる。この場合、鳴り物本体５０の頂部に雄ねじをネジ山が外向きになるように取り付け、ホルダー１０の端部にネジ穴を形成する。そして、雄ねじをネジ穴に挿入することにより、鳴り物本体５０をホルダー１０に固定することができる。また、ホルダー側連結部４４と鳴り物側連結部４３はネジ穴や雄ねじに限られるものではない。鳴り物本体５０の頂部に凸部を設け、ホルダー１０の端部に開口部を設け、該凸部を該開口部に挿入して固定するなど、様々な態様を取り得る。
【００３５】
上記構成により、鳴り物を紐で吊り下げる態様でなく、ホルダーの上端に鳴り物を固定した態様にも本発明を適用することができ、様々な宗派や嗜好、用途等に応じた様々な形態の鳴り物を提供できる。
【産業上の利用可能性】
【００３６】
本発明に係る携帯用鳴り物は、仏具等の葬祭用に好適に使用できる。特に高齢者や子供でも扱い易い小型でコンパクトな携帯用鳴り物として利用できる。また寺院などで土産物用や贈答用にも好適である。特に外国人観光客にも日本的な土産物として好適である。
【符号の説明】
【００３７】
１００、２００・・・携帯用鳴り物
１０・・・ホルダー
２０・・・鳴り物収納部
２１・・・開口部
３０・・・把持部
３１・・・りん棒収納部
４０、４０’・・・連結部
４１・・・留め具
４２・・・連結用紐
４３・・・鳴り物側連結部
４４・・・ホルダー側連結部
５０・・・鳴り物本体
６０・・・りん棒
６１・・・りん棒連結用紐
７００…りん棒内蔵型おりん
７０３…振り子アーム
７０５…球
Ｃ・・・隙間
【図１】
2020011001.tif 000003
【図２】
2020011001.tif 000004
【図３】
2020011001.tif 000005
【図４】
2020011001.tif 000006
【図５】
2020011001.tif 000007
【図６】
2020011001.tif 000008
【図７】
2020011001.tif 000009